(57)【特許請求の範囲】
【請求項１】
枠体に装着された折畳み扉が伸長して間口を閉じた場合に下桟である下レールとの間をシールすることが出来る折畳み扉装置において、折畳み扉のスライダーが遊嵌して移動するガイド溝を連続して下レールに設け、該ガイド溝の一方側には概略１／４円弧断面の内側回転シール体を回転可能に取付け、反対側にも概略１／４円弧断面の外側回転シール体を回転可能に取付け、そして、両回転シール体が起立した場合には折畳み扉の下框に側面が当接し、倒れて収容空間に収まった場合には両回転シール体の側面が下レール上面とほぼ同一面を成すように配置し、しかも、上記両回転シール体の外径サイズは外側を内側に対して小さくしたことを特徴とする折畳み扉装置。
【請求項２】
折畳み扉に取付けたロック棒を降下した際に該ロック棒の降下と連動して上記回転シール体が回転・起立して折畳み扉の下框に当接し、ロック棒を上昇した場合には自重の作用で倒れて収容空間に収まるように構成した請求項１記載の折畳み扉装置。
【請求項３】
上記ロック棒の下端にはガイド溝に嵌合するロック部と、該ロック部の両側（内外側）に補助ロック棒を設け、この補助ロック棒の降下によって両回転シール体を起立可能とした請求項２記載の折畳み扉装置。
【請求項４】
上記両回転シール体にはガイド溝側へ延びるアームを形成し、ガイド溝の両側（内外側）に補助ガイド溝を設け、降下する補助ロック棒がアームに当って押下げると共に補助ガイド溝に嵌るように構成した請求項３記載の折畳み扉装置。
【発明の詳細な説明】
【技術分野】
【０００１】
本発明は折畳み扉が装着される枠体の下桟(下レール)をフラット化すると共にシール機能を向上した折畳み扉装置に関するものである。
【背景技術】
【０００２】
折畳み扉とは複数枚のパネルが継手を介して連結し、各パネルが折畳まれることで間口や窓を開閉することが出来る扉である。折畳み扉にもその形態は色々存在しているが、図４は窓枠である枠体（ホ）に折畳み扉（イ）、（イ）を装着している場合を示し、２枚のパネル（ロ）、（ハ）で構成している折畳み扉（イ）が左右に対を成して取付けられている。同図の（ａ）は折畳み扉（イ）が折り畳まれて窓が開口している場合、（ｂ）は折畳み扉（イ）が伸長して窓が閉じている場合である。
【０００３】
ところで、このような折畳み扉（イ）に必要な要件は色々あるが、１つには折畳み操作がスムーズであることは勿論のこと、同図（ｂ）のように閉じた状態で雨水が隙間から侵入しないようにすることも重要な要素である。折畳み扉（イ）が伸長して閉じた状態で生じる可能性がある隙間は、パネル（ロ）、（ハ）間の継手部（ニ）及び両折畳み扉（イ）、（イ）の先端パネル（ハ）、（ハ）の突合せ面の他に、枠体（ホ）と折畳み扉（イ）との間に発生する隙間がある。
【０００４】
特開２００６−３７４２４号に係る「折畳み扉装置」は、出願人が以前に開発した発明であり、枠体に装着された折畳み扉が伸長して間口を閉じた場合に、フラットな上面を形成した下桟との間をシールすることが出来る折畳み扉装置である。
【０００５】
すなわち、下桟の上面をフラットにすると共に溝空間を連続して長手方向に設け、該溝空間には回転可能に取付けた回転シール体を収容し、そして折畳み扉に取付けたロック棒を降下した際に該ロック棒の降下と連動して上記回転シール体が回転・起立して折畳み扉の下框に当接するように構成している。
【０００６】
ところで、図５は上記折畳み扉装置のシール構造を表している断面図であるが、この折畳み扉装置では内側に回転シール体（ヘ）を設置し、この回転シール体（ヘ）が回転することで折畳み扉（イ）の下框表面に当接し、気密・水密性能を保持した構造である。しかし下部の止水位置は一箇所しかなく、安定した気密・水密性能を保持することが困難であり、更なる性能の向上を図ることが出来ない。そして、外側にガード部材がない為に、埃やゴミが下レールに侵入して、折畳み扉（イ）の開閉操作が妨げられることもある。
【０００７】
折畳み扉装置の外側にフィン状の気密材を取付けることも可能であるが、しかし隙間を完全に塞ぐことはできない。図６は折畳み扉装置の外側にフィン状気密材（ト）を取付けた場合であり、（ａ）は折畳み扉（イ）の下端にフィン状気密材（ト）が取付けられ、（ｂ）は下レール（チ）の上面（リ）にフィン状気密材（ト）を取付けている。
【０００８】
しかし、同図（ａ）のように折畳み扉（イ）の下端にフィン状気密材（ト）を取付けても、下レール（チ）の上面（リ）との間には隙間（ヌ）が残り、同じく同図（ｂ）のように下レール（チ）の上面（リ）にフィン状気密材（ト）を取付けても、折畳み扉（イ）の下端との間には隙間（ヌ）が形成される。これは、折畳み扉（イ）が開閉動作する際に、フィン状気密材（ト）の先端が擦れないように隙間（ヌ）が必要となる為である。
【０００９】
上記隙間（ヌ）が僅かであっても、該隙間（ヌ）から雨水、風、ゴミが侵入する。そして、下レール（チ）の上面（リ）に図６（ｂ）のようにフィン状気密材を起立して設けることで、下レール上面（リ）は床面と同一面に揃えることが出来ない。
【特許文献１】特開２００６−３７４２４号に係る「折畳み扉装置」
【発明の開示】
【発明が解決しようとする課題】
【００１０】
このように従来の折畳み扉装置には上記のごとき問題がある。本発明が解決しようとする課題はこの問題点であり、雨水、風、及び埃などが侵入しない構造であると共に、下レールの上面がフラット化した折畳み扉装置を提供する。
【課題を解決するための手段】
【００１１】
本発明の折畳み扉装置は内側と外側に回転シール体を取付けた２重シール構造としている。折畳み扉は複数枚のパネルが継手を介して連結し、互いに屈曲して折り畳まれるように構成している。上記回転シール体は下レールに取付けられて回転し、その形状は概略１／４断面の円弧又は扇形をなしている。下レールの断面中央には折畳み扉のスライダーが移動するガイド溝が形成され、このガイド溝の両側（内外側）に上記回転シール体が軸支される。一般に内側の回転シール体は大きく、外側の回転シール体は小さくしている。
【００１２】
ところで、両回転シール体が回転して起立した場合、折畳み扉の下框表面に当接して隙間を塞ぎ、逆に倒れた状態では下レール上面と同一面になるように回転シール体の回転角が規制されるストッパーが設けられている。そこで、回転シール体が倒れた場合に、収容される収容空間がガイド溝両側（内外側）に設けている。そして、回転シール体は起立する為に回転するが、その回転手段は限定しない。ただし、回転シール体が倒れる為の回転はその自重にて行われる構造としている。
【発明の効果】
【００１３】
本発明の折畳み扉装置は内側と外側に回転シール体を備えた２重シール構造としているために、外からの雨水の侵入及び風の侵入、更には埃やゴミの侵入を防止することが出来る。従って、部屋の気密性が向上すると共に、下レールのガイド溝に埃やゴミが堆積しない為に、折り畳み扉の開閉操作はスムーズとなる。
【００１４】
そして、回転シール体は概略１／４の円弧断面又は扇形断面と成っていることで、回転して起立した場合には折畳み扉の下框表面に側面が当接し、倒れた状態では枠体の下桟である下レール上面とほぼ同一となるフラット面になる。すなわち、折畳み扉が折畳まれて間口が開口状態にある場合には、回転シール体は倒れて下レール上面はフラット面と成るために、屋内の間口に装着した場合には車椅子に乗って自由に通過することが出来る。
【実施例】
【００１５】
図１は本発明に係る折畳み扉装置の下側シール構造を示す実施例である。同図の１は下レール、２は内側回転シール体、３は外側回転シール体、４はガイド溝を夫々表している。ガイド溝４の両側に上記内側回転シール体２と外側回転シール体３が回転可能に軸支されている。
【００１６】
その為に折畳み扉１５のスライダー２６が遊嵌するガイド溝４の内側には内側軸５が設けられ、該内側軸５には内側回転シール体２が軸支され、一方ガイド溝４の外側には外側軸６が設けられ、該外側軸６には外側回転シール体３が軸支されている。ここで、下レール１は折畳み扉１５が装着される枠体の下桟として枠組みされている部材であり、この下レール１の一部として内側軸５及び外側軸６が長手方向に連続して形成している。
【００１７】
内側回転シール体２及び外側回転シール体３は同図に示すように概略１／４円弧断面をした長尺材であり、円弧の中心に形成した軸受け７，８は内側軸５及び外側軸６に係合している。軸受け７，８は概略半円弧断面を成しているが、収容空間９，１０から外れないように成っている。すなわち、内側回転シール体２及び外側回転シール体３の外周は収容空間９，１０の内周面に当って離脱することはない。
【００１８】
図１（ａ）は内側回転シール体２及び外側回転シール体３が倒れている状態であり、内側回転シール体２の側面１２は下レール１の上面１１と同一面となり、同じく外側回転シール体３の側面１３は下レール１の上面１１と同一面と成っている。下レール１の上面１１は床面１４と同一面に成っていることで、倒れた状態の内側回転シール体２及び外側回転シール体３は床面１４から突出することなく揃っている。
【００１９】
図１（ｂ）は内側回転シール体２及び外側回転シール体３が回転して起立した場合であるが、両回転シール体２，３が起立するならば、側面１２，１３は折畳み扉１５の下框両面に当接する。側面１２，１３にはシール材１６，１６が取付けられていることで、下框との間に隙間を生じることなく当接することが出来る。
【００２０】
このように、両回転シール体２，３が起立した場合でも、外周の一部は収容空間９，１０に嵌っている為に、内外軸５，６から軸受け７，８が離脱して両回転シール体２，３が外れることはない。ところで、両回転シール体２，３は何らかの手段を用いて回転起立するが、起立した内外回転シール体２，３は該起立手段を解除するならば、自重にて倒れて図１（ａ）の状態となる。
【００２１】
本発明の折畳み扉装置では、内側だけでなく外側にも回転シール体３を備えることで、窓用として使用する場合、外からの雨水や風の侵入が防止され、又ゴミや埃の侵入も阻止される。そして、同図（ａ）のようにガイド溝４の両側に内側回転シール体２及び外側回転シール体３が倒れた状態では、側面１２，１３は下レール１の上面１１と同一面となり、車椅子が通過する際に何の障害凸部も存在しない。
【００２２】
図２は内側回転シール体２及び外側回転シール体３が倒れている場合を、図３は内側回転シール体２及び外側回転シール体３が起立している場合を夫々示している。すなわち、図２、図３は本発明に係る折畳み装置の実際の具体例である。折畳み扉１５が伸長しても、下レール１と折畳み扉１５の下端との間には隙間１７が形成されている。
【００２３】
そして、図３のように内側回転シール体２及び外側回転シール体３が回転して起立するならば、上記隙間１７は塞がれる。ところで、図２、図３に示す折畳み扉装置の折畳み扉１５にはロック棒１８が取付けられ、該ロック棒１８が降下することで、ロック棒下端のロック部１９がガイド溝４に嵌合する。その結果、折畳み扉１５は折畳まれることなく伸長状態となる。
【００２４】
ロック棒１８は折畳み扉１５を構成するパネルが連結される継手に設けられ、ロック部１９がガイド溝４に嵌合することで折畳み扉１５の継手は下レール１と同じ位置に拘束される。そして、該ロック棒１８には２本の補助棒２０，２１がロック部１９の両側に形成されている。ロック棒１８が降下すると、ロック部１９と共に補助棒２０，２１も降下して内側回転シール体２及び外側回転シール体３を回転起立させることが出来る。
【００２５】
内側回転シール体２の側面１２にはシール材１６が取付けられ、同じく外側回転シール体３の側面１３にもシール材１６が取付けられている。そして、内側回転シール体２は軸受け７からガイド溝側へアーム２２を延ばし、同じく外側回転シール体３は軸受け８からガイド溝側へアーム２３を延ばしている。
【００２６】
ガイド溝４の両側には補助ガイド溝２４，２５が設けられ、ロック棒１８が降下することで、ロック部１９はガイド溝４に嵌合し、補助棒２０は補助ガイド溝２４に嵌り、同じく補助棒２１は補助ガイド溝２５に嵌る。この際、補助棒２０はアーム２２に当って押下げ、その結果、内側回転シール体２は起立する。同じく、補助棒２１はアーム２３に当って押下げ、その結果、外側回転シール体３は起立する。
【００２７】
ロック棒１８が上昇すれば、ロック部１９はガイド溝４から離脱し、補助棒２０は補助ガイド溝２４から離脱し、さらに補助棒２１は補助ガイド溝２５から離脱する。補助棒２０が補助ガイド溝２４から離脱すると同時に、起立している内側回転シール体２はその自重にて回転して倒れ、同じく補助棒２１が補助ガイド溝２５から離脱すると同時に、起立している外側回転シール体３はその自重にて回転して倒れる。すなわち、図２のように内側回転シール体２及び外側回転シール体３は収容空間９，１０に収まる。
【００２８】
ところで、上記内側回転シール体２及び外側回転シール体３を起立させる手段としては、ロック棒１８の降下に限定するものではない。そして、内外側回転シール体２，３に軸を設け、下レール側の軸受けに回転可能に軸支することもあり、その具体的な軸支構造は限定しない。
【図面の簡単な説明】
【００２９】
【図１】本発明に係る折畳み扉装置の下側シール構造。
【図２】回転シール体が倒れている場合の下側シール構造。
【図３】回転シール体が起立している場合の下側シール構造。
【図４】一般的な折畳み扉装置の外観図。
【図５】内側回転シール体を備えた折畳み扉装置の下側シール構造。
【図６】内側回転シール体とフィン状気密材を備えた折畳み扉装置の下側シール構造。
【符号の説明】
【００３０】
１  下レール
２  内側回転シール体
３  外側回転シール体
４  ガイド溝
５  内側軸
６  外側軸
７  軸受け
８  軸受け
９  収容空間
10  収容空間
11  上面
12  側面
13  側面
14  床面
15  折畳み扉装置
16  シール材
17  隙間
18  ロック棒
19  ロック部
20  補助棒
21  補助棒
22  アーム
23  アーム
24  補助ガイド溝
25  補助ガイド溝
26  スライダー
【図１】
0004725859.tif 000002
【図２】
0004725859.tif 000003
【図３】
0004725859.tif 000004
【図４】
0004725859.tif 000005
【図５】
0004725859.tif 000006
【図６】
0004725859.tif 000007